(57)【要約】【課題】紫外線を吸収する物質を含む物体において、その物体における紫外線を吸収する物質の存在位置や存在量を視覚的に判断することが可能な情報端末機を提供する。【解決手段】この携帯電話（情報端末機）１０は、人体２１の皮膚で反射した紫外線を受光することにより、人体２１を反映した紫外線によるイメージ像を検出するための２次元ＣＣＤ６と、２次元ＣＣＤ６により検出された紫外線によるイメージ像を表示するための液晶表示装置２とを備えている。【選択図】図１
2007150924.tif 000002
【特許請求の範囲】
【請求項１】
所定の物体の表面で反射した紫外線を受光することにより、前記所定の物体を反映した前記紫外線によるイメージ像を検出するためのイメージ像検出手段と、
前記イメージ像検出手段により検出された前記紫外線によるイメージ像に基づいて生成された紫外線情報を表示するための表示部とを備えた、情報端末機。
【請求項２】
前記紫外線を透過する紫外線フィルタをさらに備え、
前記紫外線フィルタは、前記イメージ像検出手段の受光面側に配置されている、請求項１に記載の情報端末機。
【請求項３】
前記紫外線を発光する発光手段をさらに備える、請求項１または２に記載の情報端末機。
【請求項４】
前記表示部に表示される紫外線情報は、少なくとも前記イメージ像検出手段により検出された前記紫外線によるイメージ像に基づいて生成されたイメージ像を含み、
前記所定の物体は、前記紫外線を吸収する黒色部分および肉眼では黒くないが前記紫外線を吸収する部分の少なくとも一方を有する皮膚を含む人体であり、
前記表示部には、前記人体の皮膚の黒色部分および肉眼では黒くないが紫外線を吸収する部分の少なくとも一方が判別可能なイメージ像が表示される、請求項１〜３のいずれか１項に記載の情報端末機。
【請求項５】
前記表示部に表示される紫外線情報は、少なくとも前記イメージ像検出手段により検出された前記紫外線によるイメージ像に基づいて生成されたイメージ像を含み、
前記所定の物体は、前記紫外線を吸収する抗酸化物質を含む食品であり、
前記表示部には、前記抗酸化物質の量が多い食品と、前記抗酸化物質の量が少ない食品とが判別可能なイメージ像が表示される、請求項１〜３のいずれか１項に記載の情報端末機。
【請求項６】
前記表示部に表示される紫外線情報は、前記紫外線によるイメージ像に加えて、前記紫外線を吸収する前記抗酸化物質を含む食品の成熟度を含む、請求項５に記載の情報端末機。
【発明の詳細な説明】
【技術分野】
【０００１】
本発明は、情報端末機に関し、特に、表示部を有する情報端末機に関する。
【背景技術】
【０００２】
従来、紫外線の照射量や強さに応じた紫外線指数を表示部に表示させることが可能な情報端末機が知られている（たとえば、特許文献１参照）。なお、情報端末機としては、携帯電話、携帯情報端末、ノート型パーソナルコンピュータおよびデジタルカメラ（電子スチルカメラ）などがある。上記特許文献１に開示された情報端末機は、紫外線の照射量や強さを検出するための紫外線センサを含んでいるとともに、その紫外線センサにより検出された紫外線の照射量や強さに応じた紫外線指数が表示部に表示されるように構成されている。
【０００３】
【特許文献１】特開２００４−２３５２０号公報
【発明の開示】
【発明が解決しようとする課題】
【０００４】
しかしながら、上記特許文献１では、情報端末機に設けられた紫外線センサが、情報端末機が位置する領域における紫外線の照射量や強さを検出する機能のみを有するので、たとえば、紫外線を吸収する物質を含む物体において、その物体における紫外線を吸収する物質の存在位置や存在量を視覚的に判断するのが困難であるという問題点もある。
【０００５】
この発明は、上記のような課題を解決するためになされたものであり、この発明の１つの目的は、紫外線を吸収する物質を含む物体において、その物体における紫外線を吸収する物質の存在位置や存在量を視覚的に判断することが可能な情報端末機を提供することである。
【課題を解決するための手段および発明の効果】
【０００６】
上記目的を達成するために、この発明の一の局面による情報端末機は、所定の物体の表面で反射した紫外線を受光することにより、所定の物体を反映した紫外線によるイメージ像を検出するためのイメージ像検出手段と、イメージ像検出手段により検出された紫外線によるイメージ像に基づいて生成された紫外線情報を表示するための表示部とを備えている。
【０００７】
この一の局面による情報端末機では、上記のように、所定の物体の表面で反射した紫外線を受光することにより、所定の物体を反映した紫外線によるイメージ像を検出するためのイメージ像検出手段と、イメージ像検出手段により検出された紫外線によるイメージ像に基づいて生成された紫外線情報を表示するための表示部とを設けることによって、所定の物体の紫外線によるイメージ像をイメージ像検出手段により検出することができ、かつ、そのイメージ像検出手段により検出された紫外線によるイメージ像に基づいて生成された紫外線情報としてのイメージ像を表示部に表示させることができる。その結果、情報端末機を用いて、所定の物体の紫外線によるイメージ像を視認することができる。ここで、人体の皮膚のシミ（黒色部分）は、紫外線を吸収するという性質を有するので、人体の皮膚のシミが存在する部分における紫外線の反射率は、シミが存在しない部分における紫外線の反射率に比べて小さくなる。これにより、人体の紫外線によるイメージ像をイメージ像検出手段により検出するとともに、その紫外線によるイメージ像を表示部に表示させれば、イメージ像検出手段による紫外線の検出量が人体の皮膚のシミが存在する部分とシミが存在しない部分とで互いに異なるので、人体の皮膚のシミが存在する部分とシミが存在しない部分との表示色が互いに異なるように、人体の紫外線によるイメージ像を表示部に表示させることができる。したがって、情報端末機を用いて、人体の皮膚のシミが存在する部分を確認することができる。また、野菜や果物などの食品に含まれる抗酸化物質（フラボン、フラボノール、アントシアニン、ルティンおよびクロロフィルなど）は、紫外線を吸収するという性質を有するので、抗酸化物質の量が多い食品の表面における紫外線の反射率は、抗酸化物質の量が少ない食品の表面における紫外線の反射率に比べて小さくなる。これにより、野菜や果物などの食品の紫外線によるイメージ像をイメージ像検出手段により検出するとともに、その紫外線によるイメージ像を表示部に表示させれば、イメージ像検出手段による紫外線の検出量が抗酸化物質の量が多い食品と抗酸化物質の量が少ない食品とで互いに異なるので、抗酸化物質の量が多い食品と抗酸化物質の量が少ない食品との表示色が互いに異なるように、食品の紫外線によるイメージ像を表示部に表示させることができる。したがって、情報端末機を用いて、抗酸化物質の量が多い野菜や果物などの食品と抗酸化物質の量が少ない野菜や果物などの食品とを判別することができる。なお、野菜や果物などの食品は、抗酸化物質（フラボン、フラボノール、アントシアニン、ルティンおよびクロロフィルなど）の量が増大することにより成熟度が高くなることが知られている。すなわち、抗酸化物質の量が多い野菜や果物などの食品と抗酸化物質の量が少ない野菜や果物などの食品とを判別することにより、成熟度が高い野菜や果物などの食品と成熟度が低い野菜や果物などの食品とを判別することができる。
【０００８】
上記一の局面による情報端末機において、好ましくは、紫外線を透過する紫外線フィルタをさらに備え、紫外線フィルタは、イメージ像検出手段の受光面側に配置されている。このように構成すれば、イメージ像検出手段の受光面には、紫外線フィルタを透過する紫外線のみが入射されるので、容易に、イメージ像検出手段により、紫外線によるイメージ像を検出することができる。なお、イメージ像検出手段を紫外線のみに反応するように構成すれば、紫外線フィルタは不要である。
【０００９】
上記一の局面による情報端末機において、好ましくは、紫外線を発光する発光手段をさらに備える。このように構成すれば、発光手段を発光させることにより所定の物体に対して紫外線を照射することによって、紫外線照射量が少ない環境下（たとえば、室内や夜間）においても、イメージ像検出手段により所定の物体の紫外線によるイメージ像を検出することができる。
【００１０】
上記一の局面による情報端末機において、表示部に表示される紫外線情報は、少なくともイメージ像検出手段により検出された紫外線によるイメージ像に基づいて生成されたイメージ像を含み、所定の物体は、紫外線を吸収する黒色部分および肉眼では黒くないが紫外線を吸収する部分の少なくとも一方を有する皮膚を含む人体であり、表示部には、人体の皮膚の黒色部分および肉眼では黒くないが紫外線を吸収する部分の少なくとも一方が判別可能なイメージ像が表示されるようにしてもよい。このように構成すれば、容易に、情報端末機を用いて、人体の皮膚の黒色部分（シミ）の存在を確認することができる。
【００１１】
上記一の局面による情報端末機において、表示部に表示される紫外線情報は、少なくともイメージ像検出手段により検出された紫外線によるイメージ像に基づいて生成されたイメージ像を含み、所定の物体は、紫外線を吸収する抗酸化物質を含む食品であり、表示部には、抗酸化物質の量が多い食品と、抗酸化物質の量が少ない食品とが判別可能なイメージ像が表示されるようにしてもよい。このように構成すれば、容易に、情報端末機を用いて、抗酸化物質の量が多い（成熟度が高い）野菜や果物などの食品と抗酸化物質の量が少ない（成熟度が低い）野菜や果物などの食品とを判別することができる。
【００１２】
この場合、好ましくは、表示部には、紫外線によるイメージ像に加えて、紫外線を吸収する抗酸化物質を含む食品の成熟度が表示される。このように構成すれば、容易に、野菜や果物などの食品の成熟度を確認することができる。
【発明を実施するための最良の形態】
【００１３】
以下、本発明の実施形態を図面に基づいて説明する。
【００１４】
（第１実施形態）
図１は、本発明の第１実施形態による携帯電話（情報端末機）の構造を示した平面図である。図２は、図１の１００−１００線に沿った断面図であり、図３は、図１の２００−２００線に沿った断面図である。図４は、図１に示した第１実施形態による携帯電話の内部構成を示したブロック図である。まず、図１〜図４を参照して、第１実施形態による情報端末機としての携帯電話１０の構造について説明する。
【００１５】
この第１実施形態による携帯電話１０は、図１に示すように、人体２１の皮膚のシミ２２が存在する部分を確認することが可能なように構成されている。なお、人体２１は、本発明の「物体」の一例であり、シミ２２は、本発明の「黒色部分」および「肉眼では黒くないが紫外線を吸収する部分」の一例である。
【００１６】
第１実施形態による携帯電話１０の具体的な構造としては、筐体１の内部に、液晶表示装置２と、複数の操作ボタン３とが設けられている。なお、液晶表示装置２は、本発明の「表示部」の一例である。液晶表示装置２は、筐体１の内部から露出するように配置されているとともに、操作ボタン３は、筐体１の内部から露出するように配置されている。また、筐体１には、筐体１の内部から外部に突出したアンテナ４が設けられている。また、筐体１には、２つの開口部１ａおよび１ｂが設けられているとともに、筐体１の開口部１ａに対応する部分には、後述する２次元ＣＣＤ（電荷結合素子）６を取り付けるための取り付け部１ｃ（図２参照）が設けられている。
【００１７】
ここで、第１実施形態では、図１および図２に示すように、筐体１の開口部１ａに対応する部分に、紫外線フィルタ５と、２次元ＣＣＤ６と、レンズ７とが配置されている。なお、２次元ＣＣＤ６は、本発明の「イメージ像検出手段」の一例である。具体的には、紫外線フィルタ５は、筐体１の開口部１ａを塞ぐように取り付けられている。また、２次元ＣＣＤ６は、２次元的に配列された複数の画素（図示せず）を含んでいるとともに、各画素の受光面６ａが紫外線フィルタ５と対向するように、筐体１の取り付け部１ｃに取り付けられている。また、レンズ７は、紫外線フィルタ５と２次元ＣＣＤ６との間に取り付けられている。
【００１８】
そして、第１実施形態では、紫外線フィルタ５は、約４００ｎｍ以下の紫外線のみが透過するように構成されているとともに、レンズ７は、紫外線フィルタ５を透過した紫外線を２次元ＣＣＤ６の受光面６ａに集光する機能を有する。これにより、この第１実施形態の２次元ＣＣＤ６では、人体２１を撮像する場合に、その人体２１の皮膚で反射した紫外線のみが受光面６ａに入射されるので、人体２１の紫外線によるイメージ像を検出することが可能となる。この検出された人体２１の紫外線によるイメージ像は、電気信号に変換されて２次元ＣＣＤ６から出力される。
【００１９】
ここで、人体２１の皮膚のシミ２２は、紫外線を吸収するという性質を有するので、人体２１の皮膚のシミ２２が存在する部分における紫外線の反射率は、シミ２２が存在しない部分における紫外線の反射率に比べて小さくなる。これにより、人体２１の皮膚のシミ２２が存在する部分に対応する画素に入射される紫外線の量は、シミ２２が存在しない部分に対応する画素に入射される紫外線の量よりも少なくなる。このため、人体２１の皮膚のシミ２２が存在する部分に対応する画素では、シミ２２が存在しない部分に対応する画素で生成される電気信号とは異なる電気信号が生成される。
【００２０】
また、第１実施形態では、図１および図３に示すように、筐体１の開口部１ｂに、光出射面８ａが筐体１の外部に突出するように、紫外線を発光する紫外線ＬＥＤ（発光ダイオード素子）８が取り付けられている。なお、紫外線ＬＥＤ８は、本発明の「発光手段」の一例である。この紫外線ＬＥＤ８の発光波長は、約３６５ｎｍに設定されているとともに、紫外線ＬＥＤ８から発光される紫外線の強度は、約０．１５Ｗ／ｍ２以下に設定されている。そして、紫外線ＬＥＤ８を発光させることにより、紫外線照射量が少ない環境下（たとえば、室内や夜間）で２次元ＣＣＤ６により人体２１を撮像する場合にも、２次元ＣＣＤ６において人体２１の紫外線によるイメージ像が検出される。
【００２１】
また、第１実施形態では、図４に示すように、筐体１の内部において、液晶表示装置２、２次元ＣＣＤ６および紫外線ＬＥＤ８は、ＣＰＵ、ＲＯＭおよびＲＡＭなどにより構成された制御部９に接続されている。この制御部９は、２次元ＣＣＤ６の撮像動作および紫外線ＬＥＤ８の発光動作を制御する機能を有する。また、制御部９は、２次元ＣＣＤ６で生成される人体２１の紫外線によるイメージ像に対応する電気信号に基づいて、人体２１の紫外線によるイメージ像に対応する映像信号を生成するとともに、その映像信号を液晶表示装置２に出力する機能を有する。これにより、液晶表示装置２において、人体２１の紫外線によるイメージ像が表示される。
【００２２】
ここで、上記したように、人体２１の皮膚のシミ２２が存在する部分に対応する画素で生成される電気信号と、シミ２２が存在しない部分に対応する画素で生成される電気信号とが互いに異なるので、第１実施形態の制御部９では、人体２１の皮膚のシミ２２が存在する部分に対応する映像信号と、シミ２２が存在しない部分に対応する映像信号とを互いに異ならせることが可能となる。この第１実施形態では、人体２１の皮膚のシミ２２が存在しない部分の表示色に比べてシミ２２が存在する部分の表示色が黒くなるように、制御部９において映像信号が生成される。
【００２３】
次に、図１および図４を参照して、第１実施形態による携帯電話１０を用いて人体２１の紫外線によるイメージ像を表示させる際の動作について説明する。
【００２４】
まず、図１に示した操作ボタン３を操作して撮影モードを変更することにより、２次元ＣＣＤ６による撮像が可能な状態にする。そして、操作ボタン３を操作して紫外線ＬＥＤ８の発光モード（自動発光モードのオン／オフ）を設定する。なお、自動発光モードがオン状態の場合には、紫外線照射量が少ない環境下で２次元ＣＣＤ６により撮像する場合に、紫外線ＬＥＤ８が自動的に発光される。また、自動発光モードがオフ状態の場合には、紫外線ＬＥＤ８の発光を手動で制御することが可能となる。この後、操作ボタン３を操作して２次元ＣＣＤ６により人体２１に対して撮像を行う。
【００２５】
この際、第１実施形態では、人体２１の皮膚で反射された紫外線のみが、紫外線フィルタ５を透過するとともに、２次元ＣＣＤ６に入射される。これにより、２次元ＣＣＤ６において人体２１の紫外線によるイメージ像が検出される。そして、人体２１の紫外線によるイメージ像は、電気信号に変換されて２次元ＣＣＤ６から制御部９（図４参照）に出力される。
【００２６】
次に、図４に示した制御部９において、人体２１の紫外線によるイメージ像に対応する電気信号に基づいて映像信号が生成されるとともに、その映像信号が液晶表示装置２に出力される。これにより、液晶表示装置２において、人体２１の紫外線によるイメージ像が表示される。
【００２７】
この際、第１実施形態では、人体２１の皮膚にシミ２２が存在すれば、人体２１の皮膚のシミ２２が存在しない部分の表示色に比べてシミ２２が存在する部分の表示色が黒くなる。これにより、人体２１の皮膚にシミ２２が存在する場合には、人体２１の皮膚のシミ２２が存在する部分を確認することができる。
【００２８】
第１実施形態では、上記のように、人体２１の皮膚で反射した紫外線を受光することにより、人体２１を反映した紫外線によるイメージ像を検出するための２次元ＣＣＤ６と、２次元ＣＣＤ６により検出された紫外線によるイメージ像を表示するための液晶表示装置２とを設けることによって、人体２１の紫外線によるイメージ像を２次元ＣＣＤ６により検出するとともに、その紫外線によるイメージ像を液晶表示装置２に表示させれば、２次元ＣＣＤ６による紫外線の検出量が人体２１の皮膚のシミ２２が存在する部分とシミ２２が存在しない部分とで互いに異なるので、人体２１の皮膚のシミ２２が存在する部分とシミ２２が存在しない部分との表示色が互いに異なるように、人体２１の紫外線によるイメージ像を液晶表示装置２に表示させることができる。その結果、携帯電話１０を用いて、人体２１の皮膚のシミ２２が存在する部分を確認することができる。
【００２９】
また、第１実施形態では、上記のように、紫外線のみを透過する紫外線フィルタ５を、２次元ＣＣＤ６の受光面６ａ側に配置することによって、２次元ＣＣＤ６の受光面６には、紫外線フィルタ５を透過する紫外線のみが入射されるので、容易に、２次元ＣＣＤ６により、紫外線によるイメージ像を検出することができる。
【００３０】
また、第１実施形態では、上記のように、紫外線を発光する紫外線ＬＥＤ８を設けることによって、紫外線ＬＥＤ８を発光させることにより人体２１に対して紫外線を照射すれば、紫外線照射量が少ない環境下（たとえば、室内や夜間）においても、２次元ＣＣＤ６により人体２１の紫外線によるイメージ像を検出することができる。
【００３１】
なお、日本において、紫外線照射量が最も少ない都市は、札幌市であり、年間を通して紫外線照射量が最も少ない季節は、冬である。この札幌市の冬の時期において、１０時から１４時の間（約１４４００秒間）に照射される約２８０ｎｍ〜約３２０ｎｍの波長の紫外線（紫外線Ｂ波）の量は、約１５００Ｗｓ／ｍ２であり、その間の平均の紫外線強度は、約０．１０Ｗ／ｍ２である。また、約３２０ｎｍ〜約４００ｎｍの波長の紫外線（紫外線Ａ波）は、約２８０ｎｍ〜約３２０ｎｍの波長の紫外線（紫外線Ｂ波）の強度（約０．１０Ｗ／ｍ２）の約５倍の強度を有するので、札幌市の冬の時期における１０時から１４時の間の約３２０ｎｍ〜約４００ｎｍの波長の紫外線（紫外線Ａ波）の平均の強度は、約０．５Ｗ／ｍ２となる。すなわち、自然界において、約３２０ｎｍ〜約４００ｎｍの波長の紫外線（紫外線Ａ波）の最小強度は、約０．５Ｗ／ｍ２である。
【００３２】
このことから、紫外線ＬＥＤ８から発光される紫外線（波長：約３６５ｎｍ）の強度を約０．１５Ｗ／ｍ２以下に設定した第１実施形態では、紫外線ＬＥＤ８から発光される紫外線の強度（約０．１５Ｗ／ｍ２以下）が、自然界における約３２０ｎｍ〜約４００ｎｍの波長の紫外線の強度（約０．５Ｗ／ｍ２）よりも小さいので、紫外線ＬＥＤ８を発光させることにより人体２１に対して紫外線を照射することに起因して、人体２１の免疫力が低下するという不都合が発生するのを抑制することができる。
【００３３】
図５は、第１実施形態の第１変形例による携帯情報端末（情報端末機）の構造を示した平面図である。図５を参照して、この第１実施形態の第１変形例では、上記第１実施形態と異なり、図２に示した紫外線フィルタ５、２次元ＣＣＤ６およびレンズ７が、携帯情報端末３０の筐体３１の開口部３１ａに対応する部分に配置されている。また、図３に示した紫外線ＬＥＤ８が、携帯情報端末３０の筐体３１の開口部３１ｂに対応する部分に配置されている。
【００３４】
また、筐体３１の内部には、紫外線によるイメージ像が表示される液晶表示装置３２が内部から露出するように設けられている。なお、液晶表示装置３２は、本発明の「表示部」の一例である。また、筐体３１の内部には、操作ボタン３３が内部から露出するように設けられている。この操作ボタン３３を操作することにより、撮影モードや発光モードの変更が行われるとともに、２次元ＣＣＤ６による撮像が行われる。
【００３５】
なお、携帯情報端末３０の内部構成は、図４に示した第１実施形態の携帯電話１０の内部構成と同様である。
【００３６】
第１実施形態の第１変形例による携帯情報端末３０では、上記のように構成することによって、上記第１実施形態と同様、人体２１の皮膚のシミ２２が存在する部分とシミ２２が存在しない部分との表示色が互いに異なるように、人体２１の紫外線によるイメージ像を液晶表示装置３２に表示させることができる。これにより、携帯情報端末３０を用いて、人体２１の皮膚のシミ２２が存在する部分を確認することができる。
【００３７】
図６は、第１実施形態の第２変形例によるノート型パーソナルコンピュータ（情報端末機）の構造を示した平面図である。図６を参照して、この第１実施形態の第２変形例では、上記第１実施形態と異なり、図２に示した紫外線フィルタ５、２次元ＣＣＤ６およびレンズ７が、ノート型パーソナルコンピュータ４０の筐体４１の開口部４１ａに対応する部分に配置されている。また、図３に示した紫外線ＬＥＤ８が、ノート型パーソナルコンピュータ４０の筐体４１の開口部４１ｂに対応する部分に配置されている。
【００３８】
また、筐体４１の内部には、紫外線によるイメージ像が表示される液晶表示装置４２が内部から露出するように設けられている。なお、液晶表示装置４２は、本発明の「表示部」の一例である。また、筐体４１の内部には、キーボード４３が内部から露出するように設けられている。このキーボード４３を操作することにより、撮影モードや発光モードの変更が行われるとともに、２次元ＣＣＤ６による撮像が行われる。
【００３９】
なお、ノート型パーソナルコンピュータ４０の内部構成は、図４に示した第１実施形態の携帯電話１０の内部構成と同様である。
【００４０】
第１実施形態の第２変形例によるノート型パーソナルコンピュータ４０では、上記のように構成することによって、上記第１実施形態と同様、人体２１の皮膚のシミ２２が存在する部分とシミ２２が存在しない部分との表示色が互いに異なるように、人体２１の紫外線によるイメージ像を液晶表示装置４２に表示させることができる。これにより、ノート型パーソナルコンピュータ４０を用いて、人体２１の皮膚のシミ２２が存在する部分を確認することができる。
【００４１】
図７は、第１実施形態の第３変形例によるデジタルカメラ（電子スチルカメラ）（情報端末機）の構造を示した平面図である。図７を参照して、この第１実施形態の第３変形例では、上記第１実施形態と異なり、図２に示した紫外線フィルタ５、２次元ＣＣＤ６およびレンズ７が、デジタルカメラ５０の筐体５１の開口部５１ａに対応する部分に配置されている。また、図３に示した紫外線ＬＥＤ８が、デジタルカメラ５０の筐体５１の開口部５１ｂに対応する部分に配置されている。
【００４２】
また、筐体５１の内部には、紫外線によるイメージ像が表示される液晶表示装置５２が内部から露出するように設けられている。なお、液晶表示装置５２は、本発明の「表示部」の一例である。また、筐体５１の内部には、操作ボタン５３が内部から露出するように設けられている。この操作ボタン５３を操作することにより、撮影モードや発光モードの変更が行われる。また、筐体５１の内部には、一方の端部が上方側に突出するように、シャッタ５４が設けられている。このシャッタ５４を操作することにより、２次元ＣＣＤ６による撮像が行われる。また、筐体５１には、通常撮影モードの時に使用されるファインダ５５が設けられている。
【００４３】
なお、デジタルカメラ５０の内部構成は、図４に示した第１実施形態の携帯電話１０の内部構成と同様である。
【００４４】
第１実施形態の第３変形例によるデジタルカメラ５０では、上記のように構成することによって、上記第１実施形態と同様、人体２１の皮膚のシミ２２が存在する部分とシミ２２が存在しない部分との表示色が互いに異なるように、人体２１の紫外線によるイメージ像を液晶表示装置５２に表示させることができる。これにより、デジタルカメラ５０を用いて、人体２１の皮膚のシミ２２が存在する部分を確認することができる。
【００４５】
（第２実施形態）
図８は、本発明の第２実施形態による携帯電話（情報端末機）の構造を示した平面図である。図９は、図８の３００−３００線に沿った断面図であり、図１０は、図８の４００−４００線に沿った断面図である。図１１は、図８に示した第２実施形態による携帯電話の内部構成を示したブロック図である。図８〜図１１を参照して、この第２実施形態では、上記第１実施形態と異なり、抗酸化物質の量が多い（成熟度が高い）野菜７１ａと抗酸化物質の量が少ない（成熟度が低い）野菜７１ｂとを判別する場合について説明する。
【００４６】
この第２実施形態による携帯電話６０は、図８に示すように、抗酸化物質の量が多い野菜７１ａと抗酸化物質の量が少ない野菜７１ｂとを判別することが可能なように構成されている。なお、野菜７１ａおよび７１ｂは、本発明の「物体」の一例である。
【００４７】
第２実施形態による携帯電話６０の具体的な構造としては、筐体６１の内部に、液晶表示装置６２と、複数の操作ボタン６３とが設けられている。なお、液晶表示装置６２は、本発明の「表示部」の一例である。液晶表示装置６２は、筐体６１の内部から露出するように配置されているとともに、操作ボタン６３は、筐体６１の内部から露出するように配置されている。また、筐体６１には、筐体６１の内部から外部に突出したアンテナ６４が設けられている。また、筐体６１には、２つの開口部６１ａおよび６１ｂが設けられているとともに、筐体６１の開口部６１ａに対応する部分には、後述する２次元ＣＣＤ（電荷結合素子）６６を取り付けるための取り付け部６１ｃ（図９参照）が設けられている。
【００４８】
ここで、第２実施形態では、図８および図９に示すように、筐体６１の開口部６１ａに対応する部分に、紫外線フィルタ６５と、２次元ＣＣＤ６６と、レンズ６７とが配置されている。なお、２次元ＣＣＤ６６は、本発明の「イメージ像検出手段」の一例である。具体的には、紫外線フィルタ６５は、筐体６１の開口部６１ａを塞ぐように取り付けられている。また、２次元ＣＣＤ６６は、２次元的に配列された複数の画素（図示せず）を含んでいるとともに、各画素の受光面６６ａが紫外線フィルタ６５と対向するように、筐体６１の取り付け部６１ｃに取り付けられている。この第２実施形態では、２次元ＣＣＤ６６の複数の画素のうちの少なくとも１つの画素に、紫外線センサ（図示せず）が設けられている。また、レンズ６７は、紫外線フィルタ６５と２次元ＣＣＤ６６との間に取り付けられている。
【００４９】
そして、第２実施形態では、紫外線フィルタ６５は、約４００ｎｍ以下の紫外線のみが透過するように構成されているとともに、レンズ６７は、紫外線フィルタ６５を透過した紫外線を２次元ＣＣＤ６６の受光面６６ａに集光する機能を有する。これにより、この第２実施形態の２次元ＣＣＤ６６では、野菜７１ａおよび７１ｂを撮像する場合に、その野菜７１ａおよび７１ｂの表面で反射した紫外線のみが受光面６６ａに入射されるので、野菜７１ａおよび７１ｂの紫外線によるイメージ像を検出することが可能となる。この検出された野菜７１ａおよび７１ｂの紫外線によるイメージ像は、電気信号に変換されて２次元ＣＣＤ６６から出力される。
【００５０】
ここで、野菜７１ａおよび７１ｂに含まれる抗酸化物質（フラボン、フラボノール、アントシアニン、ルティンおよびクロロフィルなど）は、紫外線を吸収するという性質を有するので、抗酸化物質の量が多い野菜７１ａの表面における紫外線の反射率は、抗酸化物質の量が少ない野菜７１ｂの表面における紫外線の反射率に比べて小さくなる。これにより、抗酸化物質の量が多い野菜７１ａに対応する画素に入射される紫外線の量は、抗酸化物質の量が少ない野菜７１ｂに対応する画素に入射される紫外線の量よりも少なくなる。このため、抗酸化物質の量が多い野菜７１ａに対応する画素では、抗酸化物質の量が少ない野菜７１ｂに対応する画素で生成される電気信号とは異なる電気信号が生成される。
【００５１】
また、第２実施形態では、図８および図１０に示すように、筐体６１の開口部６１ｂに、光出射面６８ａが筐体６１の外部に突出するように、紫外線を発光する紫外線ＬＥＤ（発光ダイオード素子）６８が取り付けられている。なお、紫外線ＬＥＤ６８は、本発明の「発光手段」の一例である。この紫外線ＬＥＤ６８の発光波長は、約３６５ｎｍに設定されているとともに、紫外線ＬＥＤ６８から発光される紫外線の強度は、約０．１５Ｗ／ｍ２以下に設定されている。そして、紫外線ＬＥＤ６８を発光させることにより、紫外線照射量が少ない環境下（たとえば、室内や夜間）で２次元ＣＣＤ６６により野菜７１ａおよび７１ｂを撮像する場合にも、２次元ＣＣＤ６６において野菜７１ａおよび７１ｂの紫外線によるイメージ像が検出される。
【００５２】
また、第２実施形態では、図１１に示すように、筐体６１の内部において、液晶表示装置６２、２次元ＣＣＤ６６および紫外線ＬＥＤ６８は、ＣＰＵ、ＲＯＭおよびＲＡＭなどにより構成された制御部６９に接続されている。この制御部６９は、２次元ＣＣＤ６６の撮像動作および紫外線ＬＥＤ６８の発光動作を制御する機能を有する。また、制御部６９は、２次元ＣＣＤ６６で生成される野菜７１ａおよび７１ｂの紫外線によるイメージ像に対応する電気信号に基づいて、野菜７１ａおよび７１ｂの紫外線によるイメージ像に対応する映像信号を生成するとともに、その映像信号を液晶表示装置６２に出力する機能を有する。これにより、液晶表示装置６２において、野菜７１ａおよび７１ｂの紫外線によるイメージ像が表示される。
【００５３】
ここで、上記したように、抗酸化物質の量が多い野菜７１ａに対応する画素で生成される電気信号と、抗酸化物質の量が少ない野菜７１ｂに対応する画素で生成される電気信号とが互いに異なるので、第２実施形態の制御部６９では、抗酸化物質の量が多い野菜７１ａに対応する映像信号と、抗酸化物質の量が少ない野菜７１ｂに対応する映像信号とを互いに異ならせることが可能となる。この第２実施形態では、抗酸化物質の量が少ない野菜７１ｂの表示色に比べて抗酸化物質の量が多い野菜７１ａの表示色が黒くなるように、制御部６９において映像信号が生成される。
【００５４】
また、第２実施形態では、制御部６９は、野菜７１ａおよび７１ｂのいずれか一方の成熟度を算出することが可能なように構成されている。そして、野菜７１ａまたは７１ｂの成熟度は、液晶表示装置６２に棒グラフ７２で表示される。
【００５５】
なお、この第２実施形態では、以下の式（１）を用いて、野菜７１ａまたは７１ｂの成熟度Ｍ（％）を制御部６９で算出する。
【００５６】
Ｍ＝（（ＳＡＲ−ＳＲ）／ＳＡＲ）×１００  ・・（１）
上記式（１）のＳＡＲは、野菜７１ａ（７１ｂ）の表面で紫外線が吸収されずに全て反射すると仮定した場合に、その紫外線を２次元ＣＣＤ６６の紫外線センサで変換することにより得られる電気信号の強さである。また、上記式（１）のＳＲは、実際に野菜７１ａ（７１ｂ）の表面で反射した紫外線を２次元ＣＣＤ６６の紫外線センサで変換することにより得られる電気信号の強さである。
【００５７】
ここで、紫外線を吸収する抗酸化物質（フラボン、フラボノール、アントシアニン、ルティンおよびクロロフィルなど）を含む野菜７１ａ（７１ｂ）は、抗酸化物質の量が増大することにより成熟度が高くなることが知られている。すなわち、成熟度が高い野菜７１ａの表面における紫外線の反射率は、抗酸化物質の量が多いことにより、成熟度が低い野菜７１ｂの表面における紫外線の反射率よりも小さくなる。したがって、成熟度が高い野菜７１ａの表面で反射した紫外線を変換することにより得られる電気信号の強さは、成熟度が低い野菜７１ｂの表面で反射した紫外線を変換することにより得られる電気信号の強さよりも小さくなる。たとえば、上記式（１）において、野菜７１ａ（７１ｂ）の表面で紫外線が吸収されずに全て反射した場合のＳＡＲを１とし、成熟度が高い（抗酸化物質の量が多い）野菜７１ａにおけるＳＲを０．３とするとともに、成熟度が低い（抗酸化物質の量が少ない）野菜７１ｂにおけるＳＲを０．７とした場合、成熟度が高い野菜７１ａの成熟度Ｍが７０％となり、成熟度が低い野菜７１ｂの成熟度Ｍが３０％となる。
【００５８】
次に、図８および図１１を参照して、第２実施形態による携帯電話６０を用いて野菜７１ａおよび７１ｂの紫外線によるイメージ像を表示させる際の動作について説明する。
【００５９】
まず、図８に示した操作ボタン６３を操作して撮影モードを変更することにより、２次元ＣＣＤ６６による撮像が可能な状態にする。そして、操作ボタン６３を操作して紫外線ＬＥＤ６８の発光モード（自動発光モードのオン／オフ）を設定する。なお、自動発光モードがオン状態の場合には、紫外線照射量が少ない環境下で２次元ＣＣＤ６６により撮像する場合に、紫外線ＬＥＤ６８が自動的に発光される。また、自動発光モードがオフ状態の場合には、紫外線ＬＥＤ６８の発光を手動で制御することが可能となる。この後、操作ボタン６３を操作して２次元ＣＣＤ６６により野菜７１ａおよび７１ｂに対して撮像を行う。
【００６０】
この際、第２実施形態では、野菜７１ａおよび７１ｂの表面で反射された紫外線のみが、紫外線フィルタ６５を透過するとともに、２次元ＣＣＤ６６に入射される。これにより、２次元ＣＣＤ６６において野菜７１ａおよび７１ｂの紫外線によるイメージ像が検出される。そして、野菜７１ａおよび７１ｂの紫外線によるイメージ像は、電気信号に変換されて２次元ＣＣＤ６６から制御部６９（図１１参照）に出力される。
【００６１】
次に、図１１に示した制御部６９において、野菜７１ａおよび７１ｂの紫外線によるイメージ像に対応する電気信号に基づいて映像信号が生成されるとともに、その映像信号が液晶表示装置６２に出力される。これにより、液晶表示装置６２において、野菜７１ａおよび７１ｂの紫外線によるイメージ像が表示される。
【００６２】
この際、第２実施形態では、抗酸化物質の量が少ない野菜７１ｂの表示色に比べて抗酸化物質の量が多い野菜７１ａの表示色が黒くなる。これにより、抗酸化物質の量が多い野菜７１ａと抗酸化物質の量が少ない野菜７１ｂとを判別することができる。さらに、第２実施形態では、抗酸化物質の量が多い野菜７１ａおよび抗酸化物質の量が少ない野菜７１ｂのいずれか一方の成熟度が、棒グラフ７２で液晶表示装置６２に表示される。
【００６３】
第２実施形態では、上記のように、野菜７１ａおよび７１ｂの表面で反射した紫外線を受光することにより、野菜７１ａおよび７１ｂを反映した紫外線によるイメージ像を検出するための２次元ＣＣＤ６６と、２次元ＣＣＤ６６により検出された紫外線によるイメージ像を表示するための液晶表示装置６２とを設けることによって、野菜７１ａおよび７１ｂの紫外線によるイメージ像を２次元ＣＣＤ６６により検出するとともに、その紫外線によるイメージ像を液晶表示装置６２に表示させれば、２次元ＣＣＤ６６による紫外線の検出量が抗酸化物質の量が多い野菜７１ａと抗酸化物質の量が少ない野菜７１ｂとで互いに異なるので、抗酸化物質の量が多い野菜７１ａと抗酸化物質の量が少ない野菜７１ｂとの表示色が互いに異なるように、野菜７１ａおよび７１ｂの紫外線によるイメージ像を液晶表示装置６２に表示させることができる。その結果、携帯電話６０を用いて、抗酸化物質の量が多い（成熟度が高い）野菜７１ａと抗酸化物質の量が少ない（成熟度が低い）野菜７１ｂとを判別することができる。
【００６４】
また、第２実施形態では、上記のように、野菜７１ａまたは７１ｂの成熟度を、液晶表示装置６２に棒グラフ７２で表示することによって、容易に、成熟度が高い野菜７１ａまたは成熟度が低い野菜７１ｂの成熟度を確認することができる。
【００６５】
また、第２実施形態では、上記のように、紫外線のみを透過する紫外線フィルタ６５を、２次元ＣＣＤ６６の受光面６６ａ側に配置することによって、２次元ＣＣＤ６６の受光面６６には、紫外線フィルタ６５を透過する紫外線のみが入射されるので、容易に、２次元ＣＣＤ６６により、紫外線によるイメージ像を検出することができる。
【００６６】
また、第２実施形態では、上記のように、紫外線を発光する紫外線ＬＥＤ６８を設けることによって、紫外線ＬＥＤ６８を発光させることにより野菜７１ａおよび７１ｂに対して紫外線を照射すれば、紫外線照射量が少ない環境下（たとえば、室内や夜間）においても、２次元ＣＣＤ６６により野菜７１ａおよび７１ｂの紫外線によるイメージ像を検出することができる。
【００６７】
図１２は、第２実施形態の第１変形例による携帯情報端末（情報端末機）の構造を示した平面図である。図１２を参照して、この第２実施形態の第１変形例では、上記第２実施形態と異なり、図９に示した紫外線フィルタ６５、２次元ＣＣＤ６６およびレンズ６７が、携帯情報端末８０の筐体８１の開口部８１ａに対応する部分に配置されている。また、図１０に示した紫外線ＬＥＤ６８が、携帯情報端末８０の筐体８１の開口部８１ｂに対応する部分に配置されている。
【００６８】
また、筐体８１の内部には、紫外線によるイメージ像が表示される液晶表示装置８２が内部から露出するように設けられている。なお、液晶表示装置８２は、本発明の「表示部」の一例である。また、筐体８１の内部には、操作ボタン８３が内部から露出するように設けられている。この操作ボタン８３を操作することにより、撮影モードや発光モードの変更が行われるとともに、２次元ＣＣＤ６６による撮像が行われる。
【００６９】
なお、携帯情報端末８０の内部構成は、図１１に示した第２実施形態の携帯電話６０の内部構成と同様である。
【００７０】
第２実施形態の第１変形例による携帯情報端末８０では、上記のように構成することによって、上記第２実施形態と同様、抗酸化物質の量が多い野菜７１ａと抗酸化物質の量が少ない野菜７１ｂとの表示色が互いに異なるように、野菜７１ａおよび７１ｂの紫外線によるイメージ像を液晶表示装置８２に表示させることができる。これにより、携帯情報端末８０を用いて、抗酸化物質の量が多い（成熟度が高い）野菜７１ａと抗酸化物質の量が少ない（成熟度が低い）野菜７１ｂとを判別することができる。
【００７１】
図１３は、第２実施形態の第２変形例によるノート型パーソナルコンピュータ（情報端末機）の構造を示した平面図である。図１３を参照して、この第２実施形態の第２変形例では、上記第２実施形態と異なり、図９に示した紫外線フィルタ６５、２次元ＣＣＤ６６およびレンズ６７が、ノート型パーソナルコンピュータ９０の筐体９１の開口部９１ａに対応する部分に配置されている。また、図１０に示した紫外線ＬＥＤ６８が、ノート型パーソナルコンピュータ９０の筐体９１の開口部９１ｂに対応する部分に配置されている。
【００７２】
また、筐体９１の内部には、紫外線によるイメージ像が表示される液晶表示装置９２が内部から露出するように設けられている。なお、液晶表示装置９２は、本発明の「表示部」の一例である。また、筐体９１の内部には、キーボード９３が内部から露出するように設けられている。このキーボード９３を操作することにより、撮影モードや発光モードの変更が行われるとともに、２次元ＣＣＤ６６による撮像が行われる。
【００７３】
なお、ノート型パーソナルコンピュータ９０の内部構成は、図１１に示した第２実施形態の携帯電話１０の内部構成と同様である。
【００７４】
第２実施形態の第２変形例によるノート型パーソナルコンピュータ９０では、上記のように構成することによって、上記第２実施形態と同様、抗酸化物質の量が多い野菜７１ａと抗酸化物質の量が少ない野菜７１ｂとの表示色が互いに異なるように、野菜７１ａおよび７１ｂの紫外線によるイメージ像を液晶表示装置９２に表示させることができる。これにより、ノート型パーソナルコンピュータ９０を用いて、抗酸化物質の量が多い（成熟度が高い）野菜７１ａと抗酸化物質の量が少ない（成熟度が低い）野菜７１ｂとを判別することができる。
【００７５】
図１４は、第２実施形態の第３変形例によるデジタルカメラ（電子スチルカメラ）（情報端末機）の構造を示した平面図である。図１４を参照して、この第２実施形態の第３変形例では、上記第２実施形態と異なり、図９に示した紫外線フィルタ６５、２次元ＣＣＤ６６およびレンズ６７が、デジタルカメラ１１０の筐体１０１の開口部１０１ａに対応する部分に配置されている。また、図１０に示した紫外線ＬＥＤ６８が、デジタルカメラ１１０の筐体１０１の開口部１０１ｂに対応する部分に配置されている。
【００７６】
また、筐体１０１の内部には、紫外線によるイメージ像が表示される液晶表示装置１０２が内部から露出するように設けられている。なお、液晶表示装置１０２は、本発明の「表示部」の一例である。また、筐体１０１の内部には、操作ボタン１０３が内部から露出するように設けられている。この操作ボタン１０３を操作することにより、撮影モードや発光モードの変更が行われる。また、筐体１０１の内部には、一方の端部が上方側に突出するように、シャッタ１０４が設けられている。このシャッタ１０４を操作することにより、２次元ＣＣＤ６６による撮像が行われる。また、筐体１０１には、通常撮影モードの時に使用されるファインダ１０５が設けられている。
【００７７】
なお、デジタルカメラ１１０の内部構成は、図１１に示した第２実施形態の携帯電話６０の内部構成と同様である。
【００７８】
第２実施形態の第３変形例によるデジタルカメラ１１０では、上記のように構成することによって、上記第２実施形態と同様、抗酸化物質の量が多い野菜７１ａと抗酸化物質の量が少ない野菜７１ｂとの表示色が互いに異なるように、野菜７１ａおよび７１ｂの紫外線によるイメージ像を液晶表示装置１０２に表示させることができる。これにより、デジタルカメラ１１０を用いて、抗酸化物質の量が多い（成熟度が高い）野菜７１ａと抗酸化物質の量が少ない（成熟度が低い）野菜７１ｂとを判別することができる。
【００７９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８０】
たとえば、上記第１および第２実施形態では、携帯電話、携帯情報端末、ノート型パーソナルコンピュータおよびデジタルカメラに本発明を適用する例を示したが、本発明はこれに限らず、携帯電話、携帯情報端末、ノート型パーソナルコンピュータおよびデジタルカメラ（電子スチルカメラ）以外の情報端末機にも適用可能である。携帯電話、携帯情報端末、ノート型パーソナルコンピュータおよびデジタルカメラ（電子スチルカメラ）以外の情報端末機としては、たとえば、携帯型オーディオプレーヤーや腕時計などがある。
【００８１】
また、上記第１および第２実施形態では、情報端末機に紫外線ＬＥＤを設けたが、本発明はこれに限らず、情報端末機に紫外線ＬＥＤを設けなくてもよい。
【００８２】
また、上記第１および第２実施形態では、情報端末機を、人体の皮膚のシミが存在する部分を確認する機能、および、成熟度が高い野菜と成熟度が低い野菜とを判別する機能のいずれか一方の機能を有するように構成したが、本発明はこれに限らず、情報端末機を、人体の皮膚のシミが存在する部分を確認する機能、および、成熟度が高い野菜と成熟度が低い野菜とを判別する機能の両方の機能を有するように構成してもよい。
【００８３】
また、上記第１および第２実施形態では、人体や野菜の紫外線によるイメージ像を液晶表示装置に表示させたが、本発明はこれに限らず、人体や野菜の紫外線によるイメージ像に加えて、紫外線の照射量や強さなどの紫外線情報を液晶表示装置に表示させてもよい。このように構成すれば、情報端末機により、紫外線の照射量や強さなどの紫外線情報を確実に把握することができる。これにより、情報端末機からの紫外線情報に基づいて紫外線対策を実施することにより、紫外線を受けることに起因して、身体の免疫力が低下するという不都合が発生するのを抑制することができる。
【００８４】
また、上記第２実施形態では、野菜の成熟度を判別する場合について説明したが、本発明はこれに限らず、紫外線を吸収する抗酸化物質を含む食品であれば、野菜以外の食品の成熟度を判別することも可能である。野菜以外の紫外線を吸収する抗酸化物質を含む食品としては、たとえば、果物や米などがある。
【００８５】
また、上記第２実施形態では、野菜の紫外線によるイメージ像、および、野菜の成熟度を示す棒グラフの両方を表示させたが、本発明はこれに限らず、野菜の紫外線によるイメージ像のみを表示させてもよいし、野菜の成熟度を示す棒グラフのみを表示させてもよい。
【図面の簡単な説明】
【００８６】
【図１】本発明の第１実施形態による携帯電話（情報端末機）の構造を示した平面図である。
【図２】図１の１００−１００線に沿った断面図である。
【図３】図１の２００−２００線に沿った断面図である。
【図４】図１に示した第１実施形態による携帯電話の内部構成を示したブロック図である。
【図５】第１実施形態の第１変形例による携帯情報端末（情報端末機）の構造を示した平面図である。
【図６】第１実施形態の第２変形例によるノート型パーソナルコンピュータ（情報端末機）の構造を示した平面図である。
【図７】第１実施形態の第３変形例によるデジタルカメラ（情報端末機）の構造を示した平面図である。
【図８】本発明の第２実施形態による携帯電話（情報端末機）の構造を示した平面図である。
【図９】図８の３００−３００線に沿った断面図である。
【図１０】図８の４００−４００線に沿った断面図である。
【図１１】図８に示した第２実施形態による携帯電話の内部構成を示したブロック図である。
【図１２】第２実施形態の第１変形例による携帯情報端末（情報端末機）の構造を示した平面図である。
【図１３】第２実施形態の第２変形例によるノート型パーソナルコンピュータ（情報端末機）の構造を示した平面図である。
【図１４】第２実施形態の第３変形例によるデジタルカメラ（情報端末機）の構造を示した平面図である。
【符号の説明】
【００８７】
２、３２、４２、５２、６２、８２、９２、１０２  液晶表示装置（表示部）
５、６５  紫外線フィルタ
６、６６  ２次元ＣＣＤ（イメージ像検出手段）
６ａ、６６ａ  受光面
８、６８  紫外線ＬＥＤ（発光手段）
２１  人体（物体）
２２  シミ（黒色部分、肉眼では黒くないが紫外線を吸収する部分）
７１ａ、７１ｂ  野菜（物体）
【図１】
2007150924.tif 000003
【図２】
2007150924.tif 000004
【図３】
2007150924.tif 000005
【図４】
2007150924.tif 000006
【図５】
2007150924.tif 000007
【図６】
2007150924.tif 000008
【図７】
2007150924.tif 000009
【図８】
2007150924.tif 000010
【図９】
2007150924.tif 000011
【図１０】
2007150924.tif 000012
【図１１】
2007150924.tif 000013
【図１２】
2007150924.tif 000014
【図１３】
2007150924.tif 000015
【図１４】
2007150924.tif 000016